(57)【特許請求の範囲】
【請求項１】
複数のデータチャネルにそれぞれ対応した複数系列のデータを伝送路を介して外部機器に送信する送信部と、
上記複数系列のデータのそれぞれに、対応するデータチャネルを識別するための識別情報を付加する情報付加部を備え、
上記データチャネルは、ＴＭＤＳデータチャネルであり、
上記情報付加部は、
各ＴＭＤＳラインデータのコントロール期間に、上記対応するデータチャネルを識別するための識別情報を挿入する
送信装置。
【請求項２】
上記対応するデータチャネルを識別するための識別情報には、総データチャネル数の情報が付加されている
請求項１に記載の送信装置。
【請求項３】
一つまたは複数のコンテンツデータから上記複数系列のデータを得るデータ処理部をさらに備える
請求項１に記載の送信装置。
【請求項４】
上記複数系列のデータをそれぞれ出力する複数のピンを持つレセプタクルをさらに備え、
上記レセプタクルは、上記伝送路を構成するケーブルのプラグがリバーシブルに接続可能とされている
請求項１に記載の送信装置。
【請求項５】
送信部により複数のデータチャネルにそれぞれ対応した複数系列のデータを伝送路を介して外部機器に送信する送信ステップと、
上記複数系列のデータのそれぞれに、対応するデータチャネルを識別するための識別情報を付加する情報付加ステップを有し、
上記データチャネルは、ＴＭＤＳデータチャネルであり、
上記情報付加ステップでは、
各ＴＭＤＳラインデータのコントロール期間に、上記対応するデータチャネルを識別するための識別情報を挿入する
送信方法。
【請求項６】
外部機器から伝送路を介して、それぞれ対応するデータチャネルを識別するための識別情報が付加されている、複数系列のデータを受信する受信部と、
上記複数系列のデータに対応するデータチャネルを、それぞれ上記挿入されている識別情報に基づいて判別する判別部を備え、
上記データチャネルは、ＴＭＤＳデータチャネルであり、
上記識別情報は、ＴＭＤＳラインデータのコントロール期間に挿入されている
受信装置。
【請求項７】
上記複数系列のデータを上記判別結果に基づいて合成し、一つまたは複数のコンテンツデータを得るデータ処理部をさらに備える
請求項６に記載の受信装置。
【請求項８】
上記複数系列のデータをそれぞれ入力する複数のピンを持つレセプタクルをさらに備え、
上記レセプタクルは、上記伝送路を構成するケーブルのプラグがリバーシブルに接続可能とされている
請求項６に記載の受信装置。
【請求項９】
受信部により、外部機器から伝送路を介して、それぞれ対応するデータチャネルを識別するための識別情報が付加されている、複数系列のデータを受信する受信ステップと、
上記複数系列のデータに対応するデータチャネルを、それぞれ上記挿入されている識別情報に基づいて判別する判別ステップを有し、
上記データチャネルは、ＴＭＤＳデータチャネルであり、
上記識別情報は、ＴＭＤＳラインデータのコントロール期間に挿入されている
受信方法。
【発明の詳細な説明】
【技術分野】
【０００１】
本技術は、送信装置、送信方法、受信装置および受信方法に関し、特に、複数のデータチャネルにそれぞれ対応した複数系列のデータを送信する送信装置等に関する。
【背景技術】
【０００２】
従来、例えば、送信機器（ソース機器）から受信機器（シンク機器）に画像および音声のデータを高速に伝送する通信インタフェースとして、ＭＨＬ（Mobile High-definition Link）規格が提案されている。従来のＭＨＬシステムでは、例えば、送信機器から受信機器にコンテンツデータを一つのデータチャネルで送信するようになっている。【０００３】
従来、ＨＤＭＩ（High-Definition Multimedia Interface）のデジタルインタフェースでは、コンテンツデータを複数系列のデータに分配し、これら複数系列のデータを送信機器から受信機器に複数のデータチャネルで送信することが行われている。この場合、受信機器での処理が適切に行われるように、複数系列のデータをそれぞれ対応した受信機器のレセプタクルのピンに正しく入力する必要があった。【０００４】
例えば、特許文献１には、信号の送信回路側のコネクタの信号ピンにコネクタの識別子を挿入することでコネクタの誤接続による内部回路の破壊を防止すること記載されている。
【先行技術文献】
【特許文献】
【０００５】
【特許文献１】特開平６−０６８９３５号公報
【発明の概要】
【発明が解決しようとする課題】
【０００６】
本技術の目的は、複数のデータチャネルにそれぞれ対応した複数系列のデータの良好な送受信を可能とすることにある。
【課題を解決するための手段】
【０００７】
本技術の概念は、
複数のデータチャネルにそれぞれ対応した複数系列のデータを伝送路を介して外部機器に送信する送信部と、
上記複数系列のデータのそれぞれに、対応するデータチャネルを識別するための識別情報を付加する情報付加部を備える
送信装置にある。【０００８】
本技術において、送信部により、複数のデータチャネルにそれぞれ対応した複数系列のデータが伝送路を介して外部機器に送信される。そして、情報挿入部により、複数系列のデータのそれぞれに、対応するデータチャネルを識別するための識別情報が挿入される。【０００９】
例えば、データチャネルは、ＴＭＤＳチャネルであり、情報付加部は、各ＴＭＤＳラインデータのコントロール期間に、対応するデータチャネルを識別するための識別情報を付加する、ようにされてもよい。また、例えば、対応するデータチャネルを識別するための識別情報には、総データチャネル数の情報が付加されている、ようにされてもよい。【００１０】
このように本技術においては、複数系列のデータのそれぞれに対応するデータチャネルを識別するための識別情報を付加するものである。そのため、受信側では、受信された複数系列のデータのそれぞれが対応するデータチャネルを容易かつ的確に判別でき、適切な処理を施すことが可能となる。【００１１】
なお、本技術において、例えば、一つまたは複数のコンテンツデータから複数系列のデータを得るデータ処理部をさらに備える、ようにされてもよい。また、本技術において、例えば、複数系列のデータをそれぞれ出力する複数のピンを持つレセプタクルをさらに備え、レセプタクルは、伝送路を構成するケーブルのプラグがリバーシブルに接続可能とされている、ようにされてもよい。この場合、ケーブルのプラグの接続方向がいずれにあっても、受信側では、受信された複数系列のデータのそれぞれが対応するデータチャネルを容易かつ的確に判別できることから、適切な処理を施すことが可能となる。【００１２】
また、本技術の他の概念は、
外部機器から伝送路を介して、それぞれ対応するデータチャネルを識別するための識別情報が挿入されている、複数系列のデータを受信する受信部と、
上記複数系列のデータに対応するデータチャネルを、それぞれ上記挿入されている識別情報に基づいて判別する判別部を備える
受信装置にある。【００１３】
本技術において、受信部により、外部機器から伝送路を介して複数系列のデータが受信される。ここで、複数系列のデータには、それぞれ対応するデータチャネルを識別するための識別情報が挿入されている。例えば、データチャネルは、ＴＭＤＳチャネルであり、識別情報は、ＴＭＤＳラインデータのコントロール期間に挿入されている。そして、判別部により、複数系列のデータに対応するデータチャネルが、それぞれ、挿入されている識別情報に基づいて判別される。【００１４】
このように本技術においては、複数系列のデータに対応するデータチャネルを、それぞれ、挿入されている識別情報に基づいて判別するものである。そのため、受信された複数系列のデータのそれぞれが対応するデータチャネルを容易かつ的確に判別でき、適切な処理を施すことが可能となる。【００１５】
なお、本技術において、例えば、複数系列のデータを判別結果に基づいて合成し、一つまたは複数のコンテンツデータを得るデータ処理部をさらに備える、ようにされてもよい。また、本技術において、例えば、複数系列のデータをそれぞれ入力する複数のピンを持つレセプタクルをさらに備え、レセプタクルは、伝送路を構成するケーブルのプラグがリバーシブルに接続可能とされている、ようにされていてもよい。この場合、ケーブルのプラグの接続方向がいずれにあっても、受信された複数系列のデータのそれぞれが対応するデータチャネルを容易かつ的確に判別できることから、適切な処理を施すことが可能となる。
【発明の効果】
【００１６】
本技術によれば、複数のデータチャネルにそれぞれ対応した複数系列のデータの良好な送受信が可能となる。なお、本明細書に記載された効果はあくまで例示であって限定されるものではなく、また付加的な効果があってもよい。
【図面の簡単な説明】
【００１７】
【図１】実施の形態としての画像表示システムの構成例を示すブロック図である。
【図２】画像表示システムを構成するモバイルフォーンの構成例を示すブロック図である。
【図３】画像表示システムを構成するテレビ受信機の構成例を示すブロック図である。
【図４】モバイルフォーンのＭＨＬ送信部とテレビ受信機のＭＨＬ受信部の構成例を示す図である。
【図５】ＭＨＬ送信部のトランスミッタの詳細な構成例を示すブロック図である。
【図６】ＭＨＬデータ構造の概念図である。
【図７】ＴＭＤＳラインデータ構造の概念図である。
【図８】ＭＨＬ受信部のレシーバの詳細な構成例を示すブロック図である。
【図９】ＭＨＬ送信部およびＭＨＬ受信部におけるＭＨＬデータの送受信処理を概略的に示すフローチャートである。
【図１０】本技術のリバーシブルコネクタへの応用を説明するための図である。
【図１１】ＭＨＬシンク機器における基板形状、コネクタの配置の一例を示す図である。
【図１２】ＭＨＬシンク機器に配置されるＭＨＬデバイス（ＭＨＬ受信部）（Ａ），（Ｂ），（Ｃ）の一例を示す図である。
【図１３】ＭＨＬシンク機器にＭＨＬデバイス（Ａ）を配置した場合の配線パターンの一例を示す図である。
【図１４】ＭＨＬシンク機器にＭＨＬデバイス（Ｂ）を配置した場合の配線パターンの一例を示す図である。
【図１５】ＭＨＬシンク機器にＭＨＬデバイス（Ｂ）を配置し、本技術を応用する場合の配線パターン一例を示す図である。
【図１６】ＭＨＬシンク機器にＭＨＬデバイス（Ｃ）を配置した場合の配線パターンの一例を示す図である。
【図１７】ＭＨＬシンク機器にＭＨＬデバイス（Ｃ）を配置し、本技術を応用する場合の配線パターン一例を示す図である。
【発明を実施するための形態】
【００１８】
以下、発明を実施するための形態（以下、「実施の形態」とする）について説明する。なお、説明は以下の順序で行う。
１．実施の形態
２．変形例
【００１９】
＜１．実施の形態＞
［画像表示システム］
図１は、実施の形態としての画像表示システム１０の構成例を示している。この画像表示システム１０は、ＭＨＬ（Mobile High-definition Link）ソース機器としてのモバイルフォーン（Mobile Phone）１００と、ＭＨＬシンク機器としてのテレビ受信機２００とにより構成されている。これらの機器は、伝送路としてのＭＨＬケーブル３００によって接続されている。
【００２０】
ＭＨＬの概要を説明する。ＭＨＬは、主に、モバイル機器用のＡＶ(Audio Visual)デジタルインタフェース規格である。ＭＨＬは、ＭＨＬソース機器とＭＨＬシンク機器をＭＨＬケーブルで接続し、ＭＨＬソース機器が持っている動画、静止画、音声等のコンテンツをＭＨＬシンク機器で再生する（ＡＶストリーム・単方向）。
【００２１】
また、機器間では、ＥＤＩＤ読出し、ＨＤＣＰ認証、レジスタリード／ライト、リモコン制御等のコントロールを、ＤＤＣコマンド、およびＭＳＣ（MHL Sideband channel）コマンドを送受信することで行う（リンクコントロール・双方向）。モバイルフォーン１００およびテレビ受信機２００は、互いの機器間でリンク設定を行い、そのリンク設定の内容により、ＭＨＬケーブル３００を介して、コンテンツデータを送受信する。
【００２２】
モバイルフォーン１００は、ビデオやオーディオなどのデータ、つまりコンテンツデータを複数系列のデータに分配し、複数のＴＭＤＳデータチャネルで送信する。この際、モバイルフォーン１００は、複数系列のデータのそれぞれに、対応するＴＭＤＳデータチャネルを識別するための識別情報、（例えば番号など）を付加する。この実施の形態において、モバイルフォーン１００は、各ＴＭＤＳラインデータのコントロール期間に上述の識別情報を挿入する。
【００２３】
テレビ受信機２００は、複数系列のデータを受信する。テレビ受信機２００は、各系列のデータがそれぞれ対応するＴＭＤＳデータチャネルを、付加されている識別情報に基づいて判断する。そして、テレビ受信機２００は、その判別結果に基づいて、複数系列のデータを合成して、ビデオやオーディオなどのコンテンツデータを得る。
【００２４】
［モバイルフォーンおよびテレビ受信機の構成］
図２は、モバイルフォーン１００の構成例を示している。モバイルフォーン１００は、制御部としてのＣＰＵ１０１、ユーザ操作部１０２、表示制御部１０３、表示部１０４、３Ｇ／４Ｇモデム部１０５、カメラ部１０６、記録再生部１０７、送信処理部１０８、ＭＨＬ送信部１０９、ＭＨＬ端子（レセプタクル）１１０および電源部１１１を有している。
【００２５】
ＣＰＵ１０１は、モバイルフォーン１００の各部の動作を制御する。ユーザ操作部１０２および表示部１０４は、ユーザインタフェースを構成する。ユーザ操作部１０２は、ＣＰＵ１０１に接続されている。ユーザ操作部１０２は、モバイルフォーン１００の図示しない筐体に配置されたキー、釦、ダイアル、スイッチ、あるいは表示部１０４の表示面に配置されたタッチパネル、あるいはマウスやキーボード、あるいはカメラで検出するジェスチャ入力部、あるいはマイクロホンで検出する音声入力部、さらにはリモートコントロールの送受信機等で構成される。
【００２６】
表示制御部１０３は、表示部１０４における表示を制御する。表示部１０４は、例えば、ＬＣＤ(Liquid Crystal Display)、有機ＥＬ（Organic Electro-Luminescence）パネル等で構成されている。なお、この実施の形態では、ＣＰＵ１０１の他に表示制御部１０３を有する例を示した。しかし、表示部１０４における表示をＣＰＵ１０１が直接制御するようにしてもよい。また、ＣＰＵ１０１と表示制御部１０３は、１つのチップになっていても、複数コアであってもよい。電源部１１１は、モバイルフォーン１００の各部に電源を供給する。この電源部１１１は、ＡＣ電源であっても、電池（蓄電池、乾電池）であってもよい。
【００２７】
３Ｇ／４Ｇモデム１０５は、携帯電話通信を行う。カメラ部１０６は、動画、静止画の撮像を行う。記録再生部１０７は、例えば、内蔵メモリ（不揮発性メモリ）、あるいはメモリカード等の記録媒体にドライブして記録再生（書き込み読み出し）を行う。この記録再生部１０７は、モデム部１０５を通じて行われる通話の記録再生を行う。
【００２８】
また、この記録再生部１０７は、モデム部１０５を通じて取得される動画、静止画の画像データ、音声データの記録再生、カメラ部（マイクロホンを含む）１０６で撮像されて得られる動画、静止画の画像データ、音声データの記録再生等を行う。なお、記録再生部１０７では、カメラ部１０６で撮像されて得られた動画、静止画の画像データに対して、データ圧縮のためのコーデック処理も行う。
【００２９】
ユーザは、ユーザ操作部１０２から指示することで、記録再生部１０７における記録媒体内の記録内容を、コンテンツリストとして、表示部１０４に表示させることができる。また、このコンテンツリスト中の任意の１つをユーザがユーザ操作部１０２から指定すると、記録再生部１０７において記録媒体からその指定されたコンテンツのデータが再生され、送信処理部１０８に転送される。
【００３０】
なお、３Ｇ／４Ｇモデム１０５で取得されたビデオデータ、オーディオデータ、あるいはカメラ部１０６で得られたビデオデータ、オーディオデータを、リアルタイムで送信する場合も考えられる。その場合、それらのコンテンツデータは、図示していないが、直接、送信処理部１０８に転送される。また、メモリカードを他のデバイスに挿入してコンテンツデータを書き込んだ後、記録再生部１０７に装着して、送信処理部１０８に送信する場合も考えられる。
【００３１】
送信処理部１０８は、記録再生部１０７から供給され、テレビ受信機２００に送信するための画像データの解像度、フレームレート、Color Depth 、Color Space などを、ＭＨＬ送信部１０９におけるリンク設定の内容に合うように処理する。ＭＨＬ送信部１０９は、ＭＨＬ端子１１０に接続されている。
【００３２】
このＭＨＬ送信部１０９は、ＭＨＬ規格に準拠した通信により、送信処理部１０８で処理されたビデオ、オーディオなどのコンテンツデータを、ＭＨＬ端子１１０から、ＭＨＬケーブル３００を介して、テレビ受信機２００に、一方向に送信する。この実施の形態において、ＭＨＬ送信部１０９は、ＭＨＬデータを複数のＴＭＤＳラインデータに分配して、複数のＴＭＤＳチャネルで送信する。その際、ＭＨＬ送信部１０９は、各ＴＭＤＳラインデータのコントロール期間に、対応するＴＭＤＳデータチャネルを識別するための識別情報を付加する。このＭＨＬ送信部１０９の詳細については後述する。
【００３３】
図３は、テレビ受信機２００の構成例を示している。テレビ受信機２００は、制御部としてのＣＰＵ２０１、ユーザ操作部２０２、表示制御部２０３、ＭＨＬ端子（レセプタクル）２０４、ＭＨＬ受信部２０５、受信処理部２０６、チューナ２０７、アンテナ端子２０８、切り替え部２０９、表示部２１０および電源部２１１を有している。
【００３４】
制御部２０１は、テレビ受信機２００の各部の動作を制御する。ユーザ操作部２０２は、ユーザインタフェースを構成し、制御部２０１に接続されている。ユーザ操作部２０２は、テレビ受信機２００の図示しない筐体に配置されたキー、釦、ダイアル、スイッチ、あるいは表示部２１０の表示面に配置されたタッチパネル、あるいはマウスやキーボード、あるいはカメラで検出するジェスチャ入力部、あるいはマイクロホンで検出する音声入力部、さらにはリモートコントロールの送受信機等で構成される。
【００３５】
表示制御部２０３は、表示部２１０における表示を制御する。表示部２１０は、例えば、ＬＣＤ(Liquid Crystal Display)、有機ＥＬ（Organic Electro-Luminescence）パネル等で構成されている。なお、この実施の形態では、ＣＰＵ２０１の他に表示制御部２０３を有する例を示した。しかし、表示部２１０における表示をＣＰＵ２０１が直接制御するようにしてもよい。また、ＣＰＵ２０１と表示制御部２０３は、１つのチップになっていても、複数コアであってもよい。電源部２１１は、テレビ受信機２００の各部に電源を供給する。この電源部２１１は、ＡＣ電源であっても、電池（蓄電池、乾電池）であってもよい。
【００３６】
ＭＨＬ受信部２０５は、ＭＨＬ端子２０４に接続されている。このＭＨＬ受信部２０５は、ＭＨＬ規格に準拠した通信により、ＭＨＬケーブル３００を介して接続されているモバイルフォーン１００のＭＨＬ送信部１０９から一方向に送信されてくるビデオやオーディオなどのコンテンツデータを受信する。ＭＨＬ受信部２０５は、受信したビデオデータを受信処理部２０６に送る。なお、ＭＨＬ受信部２０５が受信したオーディオデータは、図示していない音声データ用の受信処理部に供給される。
【００３７】
この実施の形態において、このＭＨＬ受信部２０５は、複数のＴＭＤＳラインデータを受信する。その際、ＭＨＬ受信部２０５は、各ＴＭＤＳラインデータのコントロール期間に挿入されている識別情報に基づいて、各ＴＭＤＳラインデータが対応するＴＭＤＳデータチャネルを判別し、その判別結果に基づいて各ＴＭＤＳラインデータを必要に応じて並べ替えて合成し、送信側におけると同様のＭＨＬデータを得る。このＭＨＬ受信部２０５の詳細については後述する。
【００３８】
受信処理部２０６は、ＭＨＬ受信部２０５で得られたビデオデータに対して、スケーリング処理（解像度変換処理）、ガンマ補正などの必要な処理を施す。受信処理部２０６は、処理後の画像データを、切り替え部２０９に供給する。
【００３９】
チューナ２０７は、ＢＳ放送、地上波デジタル放送等を受信する。このチューナ２０７には、アンテナ端子２０８に接続された図示しないアンテナで捕らえられた放送信号が供給される。このチューナ２０７は、放送信号に基づいて、所定の番組のビデオデータ（映像信号）およびオーディオデータを取得する。切り替え部２０９は、受信処理部２０６で処理されたビデオデータまたはチューナ２０７で取得されたビデオデータを選択的に取り出し、表示部２１０に供給する。
【００４０】
図２に示すモバイルフォーン１００および図３に示すテレビ受信機２００の動作を簡単に説明する。モバイルフォーン１００の記録再生部２０７で再生されたコンテンツデータ、あるいは３Ｇ／４Ｇモデム１０５で取得されたコンテンツデータ、あるいはカメラ部１０６で得られたコンテンツデータは、送信処理部１０８に供給される。
【００４１】
この送信処理部１０８では、テレビ受信機２００に送信するための画像データの解像度、フレームレート、Color Depth 、Color Space などが、ＭＨＬ送信部１０９におけるリンク設定の内容に合うように処理される。ＭＨＬ送信部１０９では、送信処理部１０８で処理されたコンテンツデータが、ＭＨＬ規格に準拠した通信により、ＭＨＬ端子１１０から、ＭＨＬケーブル３００を介して、テレビ受信機２００に、一方向に送信される。
【００４２】
テレビ受信機２００のＭＨＬ受信部２０５では、ＭＨＬ規格に準拠した通信により、ＭＨＬケーブル３００を介して接続されているモバイルフォーン１００のＭＨＬ送信部１０９から一方向に送信されてくるコンテンツデータが受信される。ＭＨＬ受信部２０５で受信された画像データは、受信処理部２０６に送られ、スケーリング処理（解像度変換処理）、ガンマ補正などの必要な処理が施される。処理後のビデオデータは、切り替え部２０９に供給される。
【００４３】
チューナ２０７では、ＢＳ放送、地上波デジタル放送等が受信される。このチューナ２０７で取得されたビデオデータは、切り替え部２０９に供給される。切り替え部２０９では、受信処理部２０６で処理されたビデオデータまたはチューナ２０７で取得されたビデオデータが選択的に取り出され、表示部２１０に供給されて、画像表示が行われる。
【００４４】
［ＭＨＬ送信部、ＭＨＬ受信部の構成］
図４は、図２のモバイルフォーン１００のＭＨＬ送信部１０９と、図３のテレビ受信機２００のＭＨＬ受信部２０５の構成例を示している。ＭＨＬ送信部１０９はトランスミッタ（Transmitter）を備え、ＭＨＬ受信部２０５はレシーバ（Receiver）を備えている。ＭＨＬ送信部１０９およびＭＨＬ受信部２０５は、（Ｘ＋１）本（Ｘは１以上の整数）のＴＭＤＳデータチャネルと、ＣＢＵＳ（ｅＣＢＵＳ）、ＶＢＵＳで接続される。
【００４５】
各ＴＭＤＳデータチャネルは、一対のツイストペアでＡＶストリーム、および、その同期信号（ＭＨＬクロック）を伝送する。ＣＢＵＳは、ＤＤＣコマンドとＭＳＣコマンドを双方向に伝送するために使用する。ＤＤＣコマンドは、ＥＤＩＤ読出しやＨＤＣＰの認証に使用する。また、ＭＳＣコマンドは、ＥＤＩＤ読出し制御、各種レジスタのリードライト、リモコン制御等に使用する。ＶＢＵＳは、ＭＨＬシンク機器からＭＨＬソース機器、またはＭＨＬソース機器からＭＨＬシンク機器に＋５Ｖの電源を供給するために使用する。
【００４６】
図５は、ＭＨＬ送信部１０９のトランスミッタの詳細な構成例を示している。トランスミッタは、ＭＨＬデータ生成部１２１と、分配部１２２と、ＴＭＤＳエンコーダ１２３-0〜１２３-Xと、シライアライザ１２４-1〜１２４-Xを有している。ＭＨＬデータ生成部１２１は、ビデオデータ、オーディオデータ、コントロール信号などからＭＨＬデータを生成する。
【００４７】
図６は、ＭＨＬデータ構造の概念図を示している。この図６は、ＴＭＤＳデータチャネル＃０〜＃Ｘにおいて、横×縦がＢピクセル×Ａラインの画像データが伝送される場合の、各種の伝送データの区間を示している。ＴＭＤＳデータチャネルで伝送データが伝送されるビデオフィールド（Video Field）には、伝送データの種類に応じて、３種類の区間が存在する。この３種類の区間は、ビデオデータ区間（Video Data period）、データアイランド区間（Data Island period）、およびコントロール区間（Control period）である。
【００４８】
ここで、ビデオフィールド区間は、一の垂直同期信号の立ち上がりエッジ（active edge）から次の垂直同期信号の立ち上がりエッジまでの区間である。このビデオフィールド区間は、水平ブランキング期間（horizontal blanking）、垂直ブランキング期間（vertical blanking）、並びに、アクティブビデオ区間（Active Video）に分けられる。このアクティブビデオ区間は、ビデオフィールド区間から、水平ブランキング期間および垂直ブランキング期間を除いた区間であるビデオデータ区間は、アクティブビデオ区間に割り当てられる。このビデオデータ区間では、非圧縮の１画面分の画像データを構成するＢピクセル（画素）×Ａライン分の有効画素（Active pixel）のデータが伝送される。
【００４９】
データアイランド区間およびコントロール区間は、水平ブランキング期間および垂直ブランキング期間に割り当てられる。このデータアイランド区間およびコントロール区間では、補助データ（Auxiliary data）が伝送される。すなわち、データアイランド区間は、水平ブランキング期間と垂直ブランキング期間の一部分に割り当てられている。このデータアイランド区間では、補助データのうち、制御に関係しないデータである、例えば、オーディオデータのパケット等が伝送される。コントロール区間は、水平ブランキング期間と垂直ブランキング期間の他の部分に割り当てられている。このコントロール区間では、補助データのうちの、制御に関係するデータである、例えば、垂直同期信号および水平同期信号、制御パケット等が伝送される。
【００５０】
図５に戻って、分配部１２２は、ＭＨＬデータ生成部１２１で生成されるＭＨＬデータを分配して、ＴＭＤＳデータチャネル０〜Ｘで伝送する０〜ＸのＴＭＤＳラインデータを生成する。この際、分配部１２２は、各ＴＭＤＳラインデータのコントロール区間に、対応するＴＭＤＳデータチャネルを識別するための識別情報、例えばチャネル番号データを挿入する。
【００５１】
図７は、各ＴＭＤＳラインデータの構造の概念図を示している。図示のように、コントロール区間に、コントロールデータとして、チャネル番号データと総チャネル数データが挿入される。
【００５２】
ＴＭＤＳエンコーダ１２３-0〜１２３-Xは、それぞれ、０〜ＸのＴＭＤＳラインデータをＴＭＤＳ信号に変換する。シリアライザ１２４-0〜１２４-Xは、それぞれ、０〜ＸのＴＭＤＳ信号をシリアル化し、送信信号としての０〜ＸのＴＭＤＳラインデータを得る。
【００５３】
図８は、ＭＨＬ受信部２０５のレシーバの詳細な構成例を示している。レシーバは、デシリアライザ２２１-0〜２２１-Xと、ＴＭＤＳデコーダ２２２-0〜２２２-Xと、合成部２２３と、ＭＨＬデータ分解部２２４を有している。デシリアライザ２２１-0〜２２１-Xは、それぞれ、受信信号としての（Ｘ＋１）系列のＴＭＤＳラインデータをデシリアル化し、（Ｘ＋１）系列のＴＭＤＳ信号に変換する。
【００５４】
ＴＭＤＳデコーダ２２２-0〜２２２-Xは、それぞれ、（Ｘ＋１）系列のＴＭＤＳ信号をＴＭＤＳラインデータに変換する。合成部２２３は、（Ｘ＋１）系列のＴＭＤＳラインデータがそれぞれ対応するＴＭＤＳデータチャネルを、コントロール区間に挿入されているチャネル番号データに基づいて判別する。そして、合成部２２３は、判別信号に基づいて、０〜ＸのＴＭＤＳラインデータを必要に応じて並べ替えて合成し、ＭＨＬデータを得る。ＭＨＬデータ分解部２２４は、ＭＨＬデータを分解して、ビデオデータ、オーディオデータ、コントロール信号などを得る。
【００５５】
図９のフローチャートは、ＭＨＬ送信部１０９およびＭＨＬ受信部２０５におけるＭＨＬデータの送受信処理を概略的に示している。ステップＳＴ１において、処理を開始する。そして、ステップＳＴ２において、ＭＨＬ送信部１０９およびＭＨＬ受信部２０５は、ＣＢＵＳによる通信を行って、ＭＨＬリンクを確立する。
【００５６】
次に、ステップＳＴ３において、ＭＨＬ送信部１０９は、ＭＨＬデータを複数のＴＭＤＳデータチャネルに対応した複数系列のＴＭＤＳラインデータに分配し、各ＴＭＤＳラインデータにＩＤ（チャネル番号データ＋総チャネル数データ）を挿入して、送信する。
【００５７】
次に、ステップＳＴ４において、ＭＨＬ受信部２０５は、受信された各ＴＭＤＳラインデータに挿入されているＩＤに基づいて、それぞれが対応するＴＭＤＳデータチャネルを判別し、その判別結果に基づいて各ＴＭＤＳラインデータを必要に応じて並べ替えて合成し、ＭＨＬデータを得る。ステップＳＴ４の処理の後、ステップＳＴ５において、処理を終了する。
【００５８】
上述したように、図１に示す画像表示システム１０においては、モバイルフォーン１００のＭＨＬ送信部１０９は、ＭＨＬデータを複数のＴＭＤＳラインデータに分配して、複数のＴＭＤＳチャネルで送信する際、ＭＨＬ送信部１０９は、各ＴＭＤＳラインデータのコントロール期間に、対応するＴＭＤＳデータチャネルを識別するための識別情報を付加するものである。一方、テレビ受信機２００のＭＨＬ受信部２０５は、各ＴＭＤＳラインデータのコントロール期間に挿入されている識別情報に基づいて、含まれる各系列のデータが対応するＴＭＤＳデータチャネルを判別し、その判別結果に基づいて各ＴＭＤＳラインデータを必要に応じて並べ替えて合成し、ＭＨＬデータを得るものである。
【００５９】
従って、図１に示す画像表示システム１０においては、リバーシブルコネクタに対応可能となる。例えば、図１０（ａ）に示すように、順方向接続では、ＭＨＬ送信部の出力（１）から出るＴＭＤＳチャネル１に対応したＴＭＤＳラインデータ（１）は、ＭＨＬソース機器側でレセプタクルのピン（１）、ＭＨＬケーブルのプラグのピン（１）を通過し、ＭＨＬシンク機器側でＭＨＬケーブルのプラグのピン（１）、レセプタクルのピン（１）を通過して、ＭＨＬ受信部の入力（１）に入る。ＭＨＬ受信部は、このＴＭＤＳラインデータ（１）を、挿入されているＩＤからＴＭＤＳチャネル１に対応したものと判別し、ＴＭＤＳチャネル１に対応したＴＭＤＳラインデータとして処理する。
【００６０】
また、例えば、図１０（ｂ）に示すように、受信側の逆方向接続では、ＭＨＬ送信部の出力（１）から出るＴＭＤＳチャネル１に対応したＴＭＤＳラインデータ（１）は、ＭＨＬソース機器側でレセプタクルのピン（１）、ＭＨＬケーブルのプラグのピン（１）を通過し、ＭＨＬシンク機器側でＭＨＬケーブルのプラグのピン（１）、レセプタクルのピン（Ｘ）を通過して、ＭＨＬ受信部の入力（Ｘ）に入る。この場合、レセプタクルは、ケーブルのプラグがリバーシブルに接続可能とされている。ＭＨＬ受信部は、このＴＭＤＳラインデータ（１）を、挿入されているＩＤからＴＭＤＳチャネル１に対応したものと判別し、ＴＭＤＳチャネル１に対応したＴＭＤＳラインデータとして処理する。
【００６１】
また、例えば、図１０（ｃ）に示すように、送信側の逆方向接続では、ＭＨＬ送信部の出力（１）から出るＴＭＤＳチャネル１に対応したＴＭＤＳラインデータ（１）は、ＭＨＬソース機器側でレセプタクルのピン（１）、ＭＨＬケーブルのプラグのピン（Ｘ）を通過し、ＭＨＬシンク機器側でＭＨＬケーブルのプラグのピン（Ｘ）、レセプタクルのピン（Ｘ）を通過して、ＭＨＬ受信部の入力（Ｘ）に入る。この場合、レセプタクルは、ケーブルのプラグがリバーシブルに接続可能とされている。ＭＨＬ受信部は、このＴＭＤＳラインデータ（１）を、挿入されているＩＤからＴＭＤＳチャネル１に対応したものと判別し、ＴＭＤＳチャネル１に対応したＴＭＤＳラインデータとして処理する。
【００６２】
このように、ＭＨＬ受信部は、入力（１）〜（Ｘ）に入る各ＴＭＤＳラインデータがどのＴＭＤＳチャネルに対応したものかをＩＤに基づいて判別して必要に応じて並べ替えて処理するので、ＭＨＬ受信部の入力（１）〜（Ｘ）にＴＭＤＳラインデータ（１）〜（Ｘ）が正しく入らなくても、ＭＨＬデータの復元を適切に行うことができる。
【００６３】
また、図１に示す画像表示システム１０においては、基板設計の効率化を図ることができる。この場合、例えば、図１１に示すような基板形状、コネクタの配置が決められているＭＨＬシンク機器があり、このＭＨＬシンク機器に、例えば、図１２に示すＭＨＬデバイス（ＭＨＬ受信部）（Ａ），（Ｂ），（Ｃ）を配置する場合を考える。ＭＨＬデバイス（Ａ）を配置する場合、図１３に示すように、コネクタからデバイスまで最短パターンを配置することができ、良好な特性を得ることができる。
【００６４】
また、ＭＨＬデバイス（Ｂ）を配置する場合、通常であれば、図１４に示すように、配線パターンが複雑になり、良好な特性を得るために多層基板を使用し、あるいは特性の良い基板を使う必要がある。しかし、本技術を使用することで、各ＴＭＤＳラインデータがＭＨＬデバイスのどの入力に入るかは問題でなくなることから、図１５に示すように、最短のパターンで設計することができる。
【００６５】
また、ＭＨＬデバイス（Ｃ）を配置する場合、通常であれば、図１６に示すように、クロスポイントが生じるパターン設計となり、良好な特性を得るために、多層基板、特性の良い基板を使用する必要が生じる。しかし、本技術を使用することで、各ＴＭＤＳラインデータがＭＨＬデバイスのどの入力に入るかは問題でなくなることから、図１７に示すように、最短のパターンで設計することができる。
【００６６】
＜２．変形例＞
なお、上述実施の形態においては、１つのコンテンツデータをＴＭＤＳデータチャネル０〜Ｘで送受信する例を示した。しかし、ＴＭＤＳデータチャネル０〜Ｘを複数組に分割し、複数のコンテンツデータを並行して送受信する構成も考えられる。
【００６７】
また、上述実施の形態においては、ＭＨＬソース機器とＭＨＬシンク機器とがＭＨＬのデジタルインタフェースで接続される例を示した。しかし、本技術は、送信装置と受信装置とがＨＤＭＩ（High-Definition Multimedia Interface）などのその他のデジタルインタフェースで接続される場合にも同様に適用できる。なお、「ＨＤＭＩ」、「ＭＨＬ」は、登録商標である。
【００６８】
また、本技術は、以下のような構成を取ることもできる。
（１）複数のデータチャネルにそれぞれ対応した複数系列のデータを伝送路を介して外部機器に送信する送信部と、
上記複数系列のデータのそれぞれに、対応するデータチャネルを識別するための識別情報を付加する情報付加部を備える
送信装置。
（２）上記データチャネルは、ＴＭＤＳデータチャネルであり、
上記情報付加部は、
各ＴＭＤＳラインデータのコントロール期間に、上記対応するデータチャネルを識別するための識別情報を挿入する
前記（１）に記載の送信装置。
（３）上記対応するデータチャネルを識別するための識別情報には、総データチャネル数の情報が付加されている
前記（１）または（２）に記載の送信装置。
（４）一つまたは複数のコンテンツデータから上記複数系列のデータを得るデータ処理部をさらに備える
前記（１）から（３）のいずれかに記載の送信装置。
（５）上記複数系列のデータをそれぞれ出力する複数のピンを持つレセプタクルをさらに備え、
上記レセプタクルは、上記伝送路を構成するケーブルのプラグがリバーシブルに接続可能とされている
前記（１）から（４）のいずれかに記載の送信装置。
（６）送信部により複数のデータチャネルにそれぞれ対応した複数系列のデータを伝送路を介して外部機器に送信する送信ステップと、
上記複数系列のデータのそれぞれに、対応するデータチャネルを識別するための識別情報を付加する情報付加ステップを有する
送信方法。
（７）外部機器から伝送路を介して、それぞれ対応するデータチャネルを識別するための識別情報が付加されている、複数系列のデータを受信する受信部と、
上記複数系列のデータに対応するデータチャネルを、それぞれ上記挿入されている識別情報に基づいて判別する判別部を備える
受信装置。
（８）上記データチャネルは、ＴＭＤＳデータチャネルであり、
上記識別情報は、ＴＭＤＳラインデータのコントロール期間に挿入されている
前記（７）に記載の受信装置。
（９）上記複数系列のデータを上記判別結果に基づいて合成し、一つまたは複数のコンテンツデータを得るデータ処理部をさらに備える
前記（７）または（８）に記載の受信装置。
（１０）上記複数系列のデータをそれぞれ入力する複数のピンを持つレセプタクルをさらに備え、
上記レセプタクルは、上記伝送路を構成するケーブルのプラグがリバーシブルに接続可能とされている
前記（７）から（９）のいずれかに記載の受信装置。
（１１）受信部により、外部機器から伝送路を介して、それぞれ対応するデータチャネルを識別するための識別情報が付加されている、複数系列のデータを受信する受信ステップと、
上記複数系列のデータに対応するデータチャネルを、それぞれ上記挿入されている識別情報に基づいて判別する判別ステップを有する
受信方法。
【符号の説明】
【００６９】
１０・・・画像表示システム
１００・・・モバイルフォーン
１０１・・・ＣＰＵ
１０２・・・ユーザ操作部
１０３・・・表示制御部
１０４・・・表示部
１０５・・・３Ｇ／４Ｇモデム部
１０６・・・カメラ部
１０７・・・記録再生部
１０８・・・送信処理部
１０９・・・ＭＨＬ送信部
１１０・・・ＭＨＬ端子
１１１・・・電源部
１２１・・・ＭＨＬデータ生成部
１２２・・・分配部
１２３-1〜１２３-X・・・ＴＭＤＳエンコーダ
１２４-1〜１２４-X・・・シリアライザ
２００・・・テレビ受信機
２０１・・・ＣＰＵ
２０２・・・ユーザ操作部
２０３・・・表示制御部
２０４・・・ＭＨＬ端子
２０５・・・ＭＨＬ受信部
２０６・・・受信処理部
２０７・・・チューナ
２０８・・・アンテナ端子
２０９・・・切り替え部
２１０・・・表示部
２１１・・・電源部
２２１-1〜２２１-X・・・デシリアライザ
２２２-1〜２２２-X・・・ＴＭＤＳデコーダ
２２３・・・合成部
２２４・・・ＭＨＬデータ分解部
３００・・・ＭＨＬケーブル
【図１】
0006500890.tif 000002
【図２】
0006500890.tif 000003
【図３】
0006500890.tif 000004
【図４】
0006500890.tif 000005
【図５】
0006500890.tif 000006
【図６】
0006500890.tif 000007
【図７】
0006500890.tif 000008
【図８】
0006500890.tif 000009
【図９】
0006500890.tif 000010
【図１０】
0006500890.tif 000011
【図１１】
0006500890.tif 000012
【図１２】
0006500890.tif 000013
【図１３】
0006500890.tif 000014
【図１４】
0006500890.tif 000015
【図１５】
0006500890.tif 000016
【図１６】
0006500890.tif 000017
【図１７】
0006500890.tif 000018